(57)【要約】      （修正有）【課題】構造が簡単で、衝撃に強く、体裁よく、印鑑の着脱の容易な携帯印鑑ホルダーを提供する。【解決手段】携帯印鑑ホルダーは、シリコン等の軟質樹脂材からなり、あるいはゴム材からなるものであって、その本体２は筒部１の一端に開口１４を有し、その他端に閉塞端２ａを有する。開口１４は、一例としてインク浸透型の印鑑１３の外周に整合し、その深さは印鑑１３の先端部を除く中間部以降が収納されるものである。また、他の印鑑を使用する場合には、その印鑑の外周に開口１４が整合する。この場合、開口１４は円形に限らず、楕円形、正方形であってもよい。【選択図】図１
0003154872.tif 000002
【実用新案登録請求の範囲】
【請求項１】
筒部（１）の一端が開放され、他端が閉塞されたゴム状弾性を有するホルダー本体（２）と、
その本体（２）の閉塞端（２ａ）に設けた吊り下げ紐の係止部（３）と、
筒部（１）の外周にその軸線方向に細長く開口し、互いに周方向に離間した少なくとも一対の窓部（４）と、を具備し、
一対の窓部（４）の存在により、前記筒部（１）が軸線方向に容易に弾性的に縮小できるように構成され、筒部（１）内に印鑑（１３）が収納されて、その筒部（１）内面との摩擦力により、その印鑑（１３）が保持されることを特徴とする携帯印鑑ホルダー。
【請求項２】
請求項１において、
前記閉塞端（２ａ）に空気抜き孔（５）が設けられた携帯印鑑ホルダー。
【請求項３】
請求項１または請求項２において、
前記閉塞端（２ａ）の中央に、その後側へ突設されリブ（６）を有し、そのリブ（６）に前記係止部（３）としての孔が形成され、その孔に第１吊り下げ紐（７）の一端が係止され、その第１吊り下げ紐（７）の他端側が紐収納体（８）に付勢的に巻取られ、その紐収納体（８）に第２吊り下げ紐（９）が係止される携帯印鑑ホルダー。
【考案の詳細な説明】
【技術分野】
【０００１】
本考案は、インク浸透印等を首或いは腰につけて、持ち歩くことができる携帯用の印鑑ホルダーに関する。
【背景技術】
【０００２】
下記特許文献に記載された携帯印鑑ホルダーは、内部に市販の印鑑を装着できるものであり、その後端にＵ字状の把手（係止部）が設けられ、その把手に紐等を取付けて使用者の首にその紐を掛けて携帯することができるものである。
【先行技術文献】
【特許文献】
【０００３】
【特許文献１】実開平６−４５７５０号公報
【考案の概要】
【考案が解決しようとする課題】
【０００４】
上記特許文献に記載された携帯印鑑ホルダーは構造が極めて複雑であり、且つ落下等の衝撃により破損するおそれがある。
そこで、本考案は構造が極めて簡単で、衝撃に強く、印鑑の着脱が容易な携帯印鑑ホルダーを提供することを課題とする。
【課題を解決するための手段】
【０００５】
請求項１に記載の本考案は、筒部(1)の一端が開放され、他端が閉塞されたゴム状弾性を有するホルダー本体(2)と、
その本体(2) の閉塞端(2a)に設けた吊り下げ紐の係止部(3)と、
筒部(1)の外周にその軸線方向に細長く開口し、互いに周方向に離間した少なくとも一対の窓部(4)と、を具備し、
一対の窓部(4)の存在により、前記筒部(1)が軸線方向に容易に弾性的に縮小できるように構成され、筒部(1)内に印鑑(13)が収納されて、その筒部(1)内面との摩擦力により、その印鑑(13)が保持されることを特徴とする携帯印鑑ホルダーである。
【０００６】
請求項２に記載の本考案は、請求項１において、
前記閉塞端(2a)に空気抜き孔(5)が設けられた携帯印鑑ホルダーである。
請求項３に記載の本考案は、請求項１または請求項２において、
前記閉塞端(2a)の中央に、その後側へ突設されリブ(6)を有し、そのリブ(6)に前記係止部(3)としての孔が形成され、その孔に第１吊り下げ紐(7)の一端が係止され、その第１吊り下げ紐(7)の他端側が紐収納体(8)に付勢的に巻取られ、その紐収納体(8)に第２吊り下げ紐(9) が係止される携帯印鑑ホルダーである。
【考案の効果】
【０００７】
本考案の携帯印鑑ホルダーは、ゴム弾性を有する本体２の内部に、その摩擦力を利用して印鑑１３が保持されるものであるから、衝撃に強く、構造が簡単で体裁よく、使い勝手がよい。
さらに、その筒部１に軸線方向に、細長い少なくても一対の窓部４が形成され、それによって軸線方向に容易に弾性的に縮小できるように構成したから、内部に収納された印鑑１３を取出すとき、筒部１を軸線方向に縮めて、それを取り出すことが容易となる。また、印鑑の挿入も容易である。
【０００８】
上記構成において、本体２の閉塞端２ａに空気抜き孔５を設けたものにおいては、印鑑１３を本体２に挿入する際に、本体２の端部まで容易にそれを挿入することができる。
上記構成において、本体２のリブ６に第１吊り下げ紐７の一端を係止し、その第１吊り下げ紐７の紐収納体８に、第２吊り下げ紐９を取付けたものは、それらの紐を用いて、印鑑を首等にかけて持ち歩くことができ、事務能率の向上に寄与しうる。
【図面の簡単な説明】
【０００９】
【図１】本考案の携帯印鑑ホルダーの使用説明図。
【図２】同使用状態を示す説明図。
【図３】同携帯印鑑ホルダーから印鑑１３を取り出す説明図。
【考案を実施するための形態】
【００１０】
次に、図面に基づいて本考案の実施の形態につき説明する。
この携帯印鑑ホルダーは、インク浸透印（一例として、シャチハタ株式会社製）や通常の印鑑を収納して首等に掛けて持ち歩くことができるゴム材または軟質樹脂材からなる携帯印鑑ホルダーである。
【００１１】
この携帯印鑑ホルダーは、図１および図２に示すごとく、シリコン等の軟質樹脂材からなり、あるいはゴム材からなるものであって、その本体２は筒部１の一端に開口１４を有し、その他端に閉塞端２ａを有する。開口１４は、一例としてインク浸透型の印鑑１３の外周に整合し、その深さは印鑑１３の先端部を除く中間部以降が収納されるものである。また、他の印鑑を使用する場合には、その印鑑の外周に開口１４が整合する。この場合、開口１４は円形に限らず、楕円形、正方形であってもよい。
【００１２】
この例では、筒部１の外周には、１８０度離間し、一対の窓部４が形成されている。この窓部４は、その長軸が本体２の軸線方向に形成された楕円形のものであるが、印鑑１３の抜き差しが容易な形状であれば、楕円形に限らず、他形状であってもよい。この窓部４の数は３以上とすることもできる。そして、閉塞端２ａの中央にはリブ６が一体に突設され、そのリブ６側面に貫通孔からなる係止部３が設けられている。また、本体２の閉塞端２ａには一対の空気抜き孔５が穿設されている。
【００１３】
そして、孔よりなる係止部３に一例としてリールストラップの一端が係止される。すなわち、このリールストラップは、第１吊り下げ紐７が紐収納体８に図示ない巻きバネを介して付勢的に巻き取られるものである。そして第１吊り下げ紐７の一端がリング１１および留具１２を介して、係止部３に係止される。その紐収納体８外周にはベルト等に止着できる止め金具１６が突設されている。この例ではその止め金具１６に環状の第２吊り下げ紐９の一端がリング１０を介して係止される。そして、その本体２に図２に示すごとく、印鑑１３の中間部より後部が収納される。このとき、本体２内周と印鑑１３の外周とが接触し、その接触抵抗により印鑑１３が本体２に保持されている。
【００１４】
このように取付けられた携帯印鑑ホルダーは、第２吊り下げ紐９を使用者の首等に掛けて、胸の前に下げることができる。使用の際には、本体２を引っ張ることにより、紐収納体８から第１吊り下げ紐７が引出され、押印が容易となる。使用後には手を離すことにより、自動的に第１吊り下げ紐７が紐収納体８内に巻き込まれる。なお、窓部４、空気抜き孔５は印鑑１３を本体２に収納するときに容易に収納できるようにすると共に、本体２から印鑑１３を取外す際にも、それを容易に行うことができるものである。
すなわち、図３に示すごとく、本体２の先端と閉塞端２ａとを、一例として、人差し指と親指とで挟み込み、軸方向に圧縮することにより、印鑑１３を押出すことができるものである。
【符号の説明】
【００１５】
１  筒部
２  本体
2a  閉塞端
３  係止部
４  窓部
５  空気抜き孔
６  リブ
７  第１吊り下げ紐
８  紐収納体
９  第２吊り下げ紐
10  リング
11  リング
12  留具
13  印鑑
14  開口
16  止め金具
【図１】
0003154872.tif 000003
【図２】
0003154872.tif 000004
【図３】
0003154872.tif 000005